(57)【要約】【目的】ピント合わせと測定部位の確認を同時に行うことができる眼底測定装置を提供すること。【構成】被検眼略瞳位置にて偏心した位置から被検眼眼底に測定光を照射する測定光学系と、被検眼眼底を測定光と共に観察する眼底観察系と、被検眼眼底と前記測定光学系及び前記眼底観察系の焦点を一致させる合焦手段を備えた眼科測定装置において、前記眼底観察系によって観察する観察視野内に合焦位置を示す合焦指標を設け、前記合焦手段によって前記測定光と前記合焦指標を一致させることで合焦を行う。ここで、前記合焦指標は、前記眼底観察系の眼底略共役位置に配置されている。【選択図】      図１
2005013474.tif 000002
【特許請求の範囲】
【請求項１】
被検眼略瞳位置にて偏心した位置から被検眼眼底に測定光を照射する測定光学系と、被検眼眼底を測定光と共に観察する眼底観察系と、被検眼眼底と前記測定光学系及び前記眼底観察系の焦点を一致させる合焦手段を備えた眼科測定装置において、
前記眼底観察系によって観察する観察視野内に合焦位置を示す合焦指標を設け、前記合焦手段によって前記測定光と前記合焦指標を一致させることで合焦を行うことを特徴とする眼底測定装置。
【請求項２】
前記合焦指標は、前記眼底観察系の眼底略共役位置に配置されていることを特徴とする請求項１記載の眼底測定装置。
【請求項３】
前記眼底観察系に観察像を撮像する撮像手段、前記撮像手段の映像信号を表示する表示手段及びキャラクタ生成手段を設け、前記合焦指標は、前記キャラクタ生成手段で生成したキャラクタであって、前記表示手段上に前記観察像に重ねて表示することを特徴とする請求項１記載の眼底測定装置。
【請求項４】
測定光制御手段を設け、前記測定光制御手段は、合焦作業時と測定信号取得時とで測定光光量が異なるように制御を行うことを特徴とする請求項１記載の眼底測定装置。
【請求項５】
被検眼眼底を照明する照明光学系と、被測定部位に血流速度を測定する測定光を被検眼瞳略共役位置にて偏心した位置から眼底へ導く測定光学系と、前記測定光による前記測定部位からの反射光を受光する受光光学系と、前記照明された前記測定部位を含む眼底を観察する観察系及び眼底略共役位置にて光束を分離するプリズムが配置され、前記光束を被検眼瞳略共役位置にて偏心した位置から指標光を眼底に投影する指標投影光学系を備えた眼底血流計において、
被検眼眼底に測定光を照射し、網膜上血管内の血流速度測定を行う血管内血流測定モード、乳頭内血流速度を行う乳頭内血流測定モード及び前記２つの測定モードを選択する選択手段を設け、前記選択手段によって血管内血流測定モードが選択された場合には、前記指標投影光学系による分離した前記指標光を一致させることにより合焦を行い、前記選択手段によって乳頭内血流測定モードが選択された場合には、前記眼底観察系によって観察する観察視野内に設けられた合焦位置を示す合焦指標と前記測定光を一致させることにより合焦を行うことを特徴とする眼底血流計。
【発明の詳細な説明】
【０００１】
【発明の属する技術分野】
本発明は、ピント合わせを行い被検眼眼底を測定する眼底測定装置及び及眼底血流計に関するものである。
【０００２】
【従来の技術】
従来、眼底カメラに見られるように、被検眼眼底と装置の観察撮像光学系の観察撮像面とを共役にする（合焦する）ために、指標投影光学系を設けて合焦作業を容易にしている。
【０００３】
他には特許文献１にあるように、スプリットプリズムを用いないで指標投影光学系からは１つの光束のみを投影し、その反射像とファインダ内のフィールドレンズに設けられたスリット線とを一致させることにより合焦させる例も開示されている。
【０００４】
しかしながら、これらの例では合焦作業を容易にする、という目的は果たしているが、そのために指標光束を被検眼に照射するための光学系を設ける必要があり、撮影時には跳ね上げミラを光路外に脱するためのソレノイド等の可動手段も必要であった。
【０００５】
又、眼底にレーザ光を照射して毛細血管部の血流速度を測定する装置も知られている。
【０００６】
【特許文献１】
特開平５−３３７０８７号公報
【発明が解決しようとする課題】
従来の方法では、眼底照明光学系内の眼底共役面に跳ね上げ可能な小ミラーを設けて、小ミラーの反射方向に指標投影光学系を設けねばならなかったので部品点数が多くなったり装置の構成も複雑になっている。
【０００７】
又、測定光と別に指標投影光があるため、測定に際しては指標投影光照射開始スイッチで指標投影光を照射してピント合わせを行うか又は眼底像を観察してもっともピントが合う所を探し、次に測定光照射開始スイッチで測定光を照射させて測定位置を確認する、といった煩雑な手順を踏む必要があり、測定に時間が係っしまっている。
【０００８】
更には、乳頭部を測定する場合には乳頭部は網膜部に比べて凹凸が大きいので、指標投影光束を利用してピント合わせを行おうとしても、明瞭に指標が見えず合わせにくい、という問題もある。
【０００９】
眼底にレーザ光を照射して毛細血管部の血流速度を測定する装置においては、ピント合わせは指標を用いず検者が眼底像を見て合わせていたので、検者による熟練の差が出るという問題もある。
【００１０】
本発明は上記問題に鑑みてなされたもので、その目的とする処は、ピント合わせと測定部位の確認を同時に行うことができる眼底測定装置及び眼底血流計を提供することにある。
【００１１】
【課題を解決するための手段】
上記目的を達成するため、請求項１記載の発明は、被検眼略瞳位置にて偏心した位置から被検眼眼底に測定光を照射する測定光学系と、被検眼眼底を測定光と共に観察する眼底観察系と、被検眼眼底と前記測定光学系及び前記眼底観察系の焦点を一致させる合焦手段を備えた眼科測定装置において、前記眼底観察系によって観察する観察視野内に合焦位置を示す合焦指標を設け、前記合焦手段によって前記測定光と前記合焦指標を一致させることで合焦を行うことを特徴とする。
【００１２】
請求項２記載の発明は、請求項１記載の発明において、前記合焦指標は、前記眼底観察系の眼底略共役位置に配置されていることを特徴とする。
【００１３】
請求項３記載の発明は、請求項１記載の発明において、前記眼底観察系に観察像を撮像する撮像手段、前記撮像手段の映像信号を表示する表示手段及びキャラクタ生成手段を設け、前記合焦指標は、前記キャラクタ生成手段で生成したキャラクタであって、前記表示手段上に前記観察像に重ねて表示することを特徴とする。
【００１４】
請求項４記載の発明は、請求項１記載の発明において、測定光制御手段を設け、前記測定光制御手段は、合焦作業時と測定信号取得時とで測定光光量が異なるように制御を行うことを特徴とする。
【００１５】
請求項５記載の発明は、被検眼眼底を照明する照明光学系と、被測定部位に血流速度を測定する測定光を被検眼瞳略共役位置にて偏心した位置から眼底へ導く測定光学系と、前記測定光による前記測定部位からの反射光を受光する受光光学系と、前記照明された前記測定部位を含む眼底を観察する観察系及び眼底略共役位置にて光束を分離するプリズムが配置され、前記光束を被検眼瞳略共役位置にて偏心した位置から指標光を眼底に投影する指標投影光学系を備えた眼底血流計において、被検眼眼底に測定光を照射し、網膜上血管内の血流速度測定を行う血管内血流測定モード、乳頭内血流速度を行う乳頭内血流測定モード及び前記２つの測定モードを選択する選択手段を設け、前記選択手段によって血管内血流測定モードが選択された場合には、前記指標投影光学系による分離した前記指標光を一致させることにより合焦を行い、前記選択手段によって乳頭内血流測定モードが選択された場合には、前記眼底観察系によって観察する観察視野内に設けられた合焦位置を示す合焦指標と前記測定光を一致させることにより合焦を行うことを特徴とする。
【００１６】
【発明の実施の形態】
以下に本発明の実施の形態を添付図面に基づいて説明する。
【００１７】
＜実施の形態１＞
本発明を図１〜図７に従って詳細に説明する。
【００１８】
図１は本発明に関して視神経乳頭内血流速度測定を測定する眼底血流計を例にとった場合の実施の形態の構成図である。
【００１９】
眼底血流計Ａは、固視標を眼底照明光学系を介して呈示する構成になっている。具体的には、白色光を発するタングステンランプ等から成る観察用光源１から被検眼Ｅと対向する対物レンズ２へ至る照明光学系上には光路に沿ってコンデンサレンズ４４、フィールドレンズ４５、被検眼Ｅの瞳孔とほぼ共役なリングスリット４６、例えば黄色の波長域の光を透過するバンドパスフィルタ４１、リレーレンズ４９、移動自在な固視標表示用素子である透過型液晶板３、リレーレンズ４、孔あきミラー５、バンドパスミラー６が順次配置されている。
【００２０】
孔あきミラー５の背後には、フォーカスレンズ７、結像レンズ５４、可動ミラー５２、直視光学系としてフィールドレンズ６９、接眼レンズ５１と配列され、検者眼Ｅに至っている。可動ミラー５２の反射方向には、撮像光学系としてフィールドレンズ４８、レンズ５３を介して二次元ＣＣＤカメラ８に至っており、眼底観察系が構成されている。
【００２１】
フィールドレンズ６９，４８には、図２に示すように、フィールドレンズ視野中心に合焦位置を示す合焦指標Ｍがエッチング等によって記されている。
【００２２】
バンドパスミラー６の反射方向の光路上には、両面研磨された小ミラー１１が配置され、小ミラー１１の下側反射面１１ａの反射方向には第２のフォーカスレンズ１７が配置され、上側反射面１１ｂの反射方向にはレンズ１２、光路に沿って移動自在な集光ユニット２８が配置されている。尚、レンズ１２の前側焦点面は被検眼Ｅの瞳孔と共役関係にあり、この焦点面に小ミラー１１が配置されている。又小ミラー１１の後方にはリレーレンズ２９、凹面ミラー１０が配され、小ミラー１１の下面１１ａで反射されず通過する光束を小ミラー１１の上面１１ｂへ導くリレー光学系を構成している。
【００２３】
従って、小ミラー１１の反射面１１ｂの第３図中Ｐ１の位置で反射された両光束は、今度は小ミラー１１の切欠き部に位置するＰ２の位置へ戻されることになり、小ミラー１１で反射されることなくバンドパスミラー６へ向かう。
【００２４】
ここで、図３は小ミラー１１と測定光を図１中のＡ方向から見た図で、図１の紙面手前が図２の左に対応しており、測定光であるレーザダイオード１４は、小ミラー１１の反射面１１ａ上のＰ１で反射され、リレーレンズ２９、凹面ミラー１０、リレーレンズ２９、光路長補償半月板４６を介してＰ２通過する。
【００２５】
レンズ１２と同一光路上に集光レンズ２８が順次配列された集光レンズ２８は、矢印で示す方向に移動ができるようになっている。
【００２６】
レンズ１２の入射方向の光路上には、コリメータレンズ５８、眼底上でのレーザ光の大きさを整えるアパーチャ６８、コヒーレントな例えば赤色光（波長６７５ｎｍ）を発する測定用のレーザーダイオード１４が配列されている。レーザーダイオード１４は、瞳位置で光軸から偏心した位置で、眼底面にて光軸中心位置になるように配置・調整されている。
【００２７】
以上、レーザーダイオード１４から小ミラー１１、リレー光学系を通り対物レンズ２を介して被検眼に至るまでにより照射光学系を構成する。
【００２８】
小ミラー１の下側反射面１１ａの反射方向の光路上には、光路に沿って移動自在なフォーカシングレンズ１７、折返しミラー１８、折返しミラー１８の反射方向の光路上には、結像レンズ６１、絞り６２、フォトマルチプライヤ２０が配置され、測定用受光光学系が構成されている。
【００２９】
図４には被検眼Ｅの瞳孔上の各光束の配置を合わせて示してあるが、Ｉは黄色の照明光により照明される領域でリングスリット６７の像、Ｏは眼底観察光束で孔あきミラー５の開口部の像、Ｖは測定受光光束で、小ミラー１１の上下反射面の有効部の像、Ｄａは測定受光光束である。Ｐ３は測定光の被検眼Ｅの瞳孔上の入射位置を示したものであり、鎖線で示す領域Ｍは小ミラー１１の下側反射面１１ａの像である。このように測定光であるレーザダイオード１４は瞳位置にてＰ３と瞳の偏心した位置から眼底へ照射されることになっている。
【００３０】
更に、装置全体を制御するためのシステム制御部２４が設けられ、システム制御部２４には、フォトマルチプライヤ２０の出力、二次元ＣＣＤ８、演算手段６４、測定スイッチ２３、レーザダイオード１４がそれぞれ接続されている。
【００３１】
演算手段６４は、パーソナルコンピュータのようなものであり、フォトマルチプライヤ２０で取得された信号を解析して血流速度を求める。
【００３２】
測定スイッチ２３は２段スイッチになっており、１段目でレーザダイオード１４が照射されるが測定光制御手段４３によって測定光量はピント合わせを行うのに必要最低限の光量に減光されている。そして、２段目まで押し込むと測定光制御手段４３によってレーザダイオード１４の光量は乳頭内血流速度測定用の光量に設定されるようになっている。
【００３３】
検者が視神経乳頭を測定しようと被検眼にアライメントを合わせると、ファインダには例えば図５のように観察できたとする。次に、透過型液晶板３によって内部固視標を動かすことによって被検者の視線を誘導して乳頭が視野中心に来るようにする。
【００３４】
被検眼乳頭と装置のピント合わせを行うために、検者は、測定スイッチ２３の１段目を押し、測定光であるレーザダイオード１４を照射する。この状態を図６に示す。本図は分かり易くするために測定光Ｌを誇張しているが、測定光Ｌは合焦指標Ｍ内に一致していないので、ピントがずれた状態であると判断すると同時に測定する場所が乳頭からずれていることも同時に確認できる。すると、検者は図示しないフォーカスつまみを回してピントを合わせようとする。その様子を図７に示す。これまでに述べたように、測定光Ｌは瞳位置で偏心し、眼底共役位置で光軸と一致するように調整されているので、フォーカスつまみを回すことにより視野内を矢印のように斜めに動く。
【００３５】
検者は、フォーカスつまみを回しながらＬ１の位置では乳頭内に測定光が入っていない。Ｌ２では乳頭内に測定光が入っているが、太い血管と重なっているし、ピントもあっていない。Ｌ４，Ｌ５はＬ２，Ｌ１と同様である。最終的にＬ３の位置が太い血管に重なっておらず、且つ、ピントも合っていることが確認できる。仮に合焦指標Ｍの位置に太い血管がある場合には、内部固視標を動かして乳頭位置を微調整して太い血管が合焦指標Ｍに来ないようにすれば良い。
【００３６】
ここで、測定光Ｌはピント位置で最もシャープな形状となり、デフォーカスした位置ではぼけてしまうし、乳頭内は網膜に比べて凹凸があるので、図のように直線的に変化するとは必ずしも言えないが、合焦指標Ｍと測定光Ｌを一致させれば良いことに変わりはない。
【００３７】
ピントと測定位置を確認すると検者は測定スイッチ２３のスイッチを２段目まで押し込む。すると、システム制御部２４は、測定光制御手段４３によってレーザダイオード１４の光量を血流速度測定用の光量にしてドップラ信号の取り込みを所定時間行う。
【００３８】
取り込まれた信号は、演算手段６４において解析されてモニタ５６に表示されると同時に記憶手段６６に保存される。
【００３９】
ファインダを使って直視観察にするか、モニタ５６を使ってモニタ観察をするかは光路切換スイッチ６５を押すことでシステム制御部２４が光路切換え手段４２によって可動ミラー５２を動かすことによって選択することができるようになっている。
【００４０】
本実施の形態では、フィールドレンズ６９，４８にピント合わせの指標となる合焦指標を入れていたが、フィールドレンズ６９，４８に直接合焦指標を入れなくとも合焦指標位置が分かる別部材をフィールドレンズ６９，４８近傍に配置するようにしても良い。
【００４１】
或は、ＴＶ観察を行う場合には、フィールドレンズ４８に合焦指標Ｍを記さずにキャラクタ生成手段５７を設けて、キャラクタ生成手段５７によって合焦指標Ｍを作成し、モニタ５６上にキャラクタ表示するようにしても良い。
【００４２】
＜実施の形態２＞
本発明を網膜上血管内血流速度と乳頭内血流速度の両方を測定できる眼底血流計に応用した例を挙げ図８〜図１０に従って詳細に説明する。
【００４３】
図８は本発明を網膜上血管内血流速度測定と乳頭内血流速度測定の両方を測定可能である眼底血流計を例にとった場合の実施の形態の構成図である。
【００４４】
眼底血流計Ａは、固視標を眼底照明光学系を介して呈示する構成になっている。具体的には、白色光を発するタングステンランプ等から成る観察用光源１０１から被検眼Ｅと対向する対物レンズ１０２へ至る照明光学系上には光路に沿って移動自在な固視標表示用素子である透過型液晶板１０３、リレーレンズ１０４、孔あきミラー１０５、バンドパスミラー１０６が順次配置されている。観察用光源１０１と透過型液晶板１０３の間には、赤外の波長域の光を透過し、それよりも短い波長の光を透過させない例えば可視カットフィルタ１４０がフィルタ挿脱手段１４１によって光路内に挿脱可能になっている。
【００４５】
孔あきミラー１０５の背後には、フォーカスレンズ１０７、結像レンズ１５４、可動ミラー１５２、直視光学系として接眼レンズ１５１と配列され、検者眼Ｅに至っている。可動ミラー１５２の反射方向には撮像光学系としてレンズ１５３を介して二次元ＣＣＤカメラ１０８に至っており、眼底観察光学系が構成される。
【００４６】
バンドパスミラー１０６の反射方向の光路上には、イメージローテータ１０９、紙面に垂直な回転軸を有する両面研磨されたガルバノメトリックミラー１１１が配置され、ガルバノメトリックミラー１１１の下側反射面１１１ａの反射方向には第２のフォーカスレンズ１１７が配置され、上側反射面１１１ｂの反射方向にはレンズ１１２、光路に沿って移動自在なフォーカスユニット１３０が配置されている。尚、レンズ１１２の前側焦点面は被検眼Ｅの瞳孔と共役関係にあり、この焦点面にガルバノメトリックミラー１１１が配置されている。又、ガルバノメトリックミラー１１１の後方には、リレーレンズ１２９、凹面ミラー１１０が配され、ガルバノメトリックミラー１１１の下面１１１ａで反射されず通過する光束をガルバノメトリックミラー１１１の上面１１１ｂへ導くリレー光学系を構成している。
【００４７】
フォーカスユニット１３０においては、レンズ１１２と同一光路上に、ダイクロイックミラー１１３、集光レンズ１２８が順次配列され、ダイクロイックミラー１１３の反射方向の光路上にはスプリットプリズム付マスク１１５、ミラー１２７が配置されており、このフォーカスユニット１３０は一体的に矢印で示す方向に移動ができるようになっている。１１６は光輝度な例えば緑色光（波長５４４ｎｍ）を発するＨｅ−Ｎｅレーザのようなトラッキング用光源である。スプリットプリズム付マスク１１５はスリット状の開口部を有している。
【００４８】
レンズ１１２の入射方向の光路上には、コリメータレンズ１５８、コヒーレントな例えば赤色光（波長６７５ｎｍ）を発する測定用のレーザーダイオード１１４が配列されている。
【００４９】
フォーカスユニット１３０とレンズ１１２の間には、レーザ照射の開閉を行うレーザシャッタ１５７が配置されている。
【００５０】
以上、トラッキング用光源１１６及びレーザーダイオード１１４からガルバノミラ１１１、リレー光学系を通り対物レンズ１０２を介して被検眼に至るまでによりトラッキング光学系を兼ねた指標投影光学系及び測定光学系を構成する。
【００５１】
この照射光学系は、ガルバノメタリックミラー上側反射面１１１ｂで反射されて再び戻されるように対物レンズ１０２の光軸から偏心した状態でカルバノメトリックミラー１１１に入射されるので、被検眼瞳上では光軸から偏心した位置から眼底に照射されることになる。
【００５２】
ガルバノメトリックミラー１１１における光束については実施の形態１における小ミラー１１と同様である。
【００５３】
ガルバノメトリックミラー１１１の下側反射面１１１ａの反射方向の光路上には、光路に沿って移動自在なフォーカスレンズ１１７、ダイクロイックミラー１１８、フィールドレンズ１２１、拡大レンズ１２６、イメージインテンシファイヤ付の一次元ＣＣＤ１２２が順次に配列され、血管検出系が構成されている。又、ダイクロイックミラー１１８の反射方向の光路上には、結像レンズ１６１、共焦点絞り１６２、被検眼Ｅの瞳孔とほぼ共役に設けられたミラー対１６３ａ，１６３ｂが配置され、ミラー対１６３ａ，１６３ｂの反射方向にはそれぞれフォトマルチプライヤ１１９，１２０が配置され、測定用受光光学系が構成されている。
【００５４】
ダイクロイックミラー１１８は、測定用のレーザダイオード１１４による反射光を反射し、トラッキング用光源１１６による反射光を透過するような特性を有している。
【００５５】
以上、血管検出系と測定用受光光学系及び眼底観察光学系によって受光光学系を構成する。
【００５６】
尚、図示の都合上、全ての光路を同一平面上に示したが、ミラー対１６３ａ，１６３ｂの反射光路、トラッキング用光源１１６の出射方向の測定光路からマスク１１５に至る光路はそれぞれ紙面に直交している。
【００５７】
更に、装置全体を制御するためのシステム制御部１２４が設けられ、システム制御部１２４にはフォトマルチプライヤ１１９，１２０の出力、一次元ＣＣＤ１２２の出力、二次元ＣＣＤ１０８、測定モード制御部１５９の出力がそれぞれ接続されており、システム制御部１２４の出力はガルバノメトリックミラー駆動手段１２５に接続されている。
【００５８】
測定モード制御部１５９には演算手段１６４、測定モード選択手段１６５、眼底照明光波長変更手段として例えばソレノイドによって可視カットフィルタを光路内に挿脱させるようなフィルタ挿脱手段１４１、光路切換手段１４２、測定光の光量を設定する測定光量設定手段１４３、可動ミラー１５２の状態を検知する検知手段１６０が接続されている。
【００５９】
演算手段１６４は、パーソナルコンピュータのようなものであり、「血管内血流測定モード」時にはトラッキングを行うための信号処理とフォトマルチプライヤ１１９，１２０で取得された信号を解析して絶対的な血流速度を求め、「乳頭内血流測定モード」が選択された時には眼底血管測定時とは異なった速度解析アルゴリズムによって相対的な血流速度を求める。測定結果は測定部位に関連付けて記憶しておく記憶手段１６６が接続されるようになっている。
【００６０】
先ず、検者は、被験者の眼底血管Ｅｖの血流速度測定しようとしてモード選択手段１６５により、「血管内血流測定モード」を選択したとする。
【００６１】
モード選択手段１６５から「血管内血流測定モード」が選択されたことを測定モード制御部１５９が検出すると、測定モード制御部５９は、フィルタ挿脱手段１４１に対して可視カットフィルタを光路外へ移動させ、演算部１６４に対して眼底血管血流解析で解析を行うように設定させて絶対血流速度を求めるアルゴリズムをとるモードになる。更に、レーザダイオード１１４の光量を眼底血管測定光量に設定する。検知手段１６０での検出結果に関係なく光路切換手段１４２に対する操作は行わない。従って、検者はファインダで観察するか、二次元ＣＣＤ１０８を使ってモニタで観察するかを図示しない光路切換レバーによって自由に選択することができる。
【００６２】
操作桿１２３を操作して被検眼Ｅの光軸と対物レンズ１０２の光軸が一致するように位置合わせを行い透過型液晶板１０３を操作して被検眼Ｅを誘導する。次に、操作棹１２３にある測定スイッチを押すことでレーザシャッタ１５７が光路から離脱してトラッキング用光源１１６が照射する。トラッキング用光源１１６は、ピント合わせのための指標光源を兼ねており、眼底像Ｅａ’を観察しながら前述のフォーカスノブを操作して被検眼Ｅの眼底Ｅａにフォーカスを合わせる。このときのフォーカスは、図９に示すように、トラッキング光はスプリット付プリズム１１５のために光束が分離されており、ピントが合った状態では（ｂ）のように３つの部分が一線になるが、ピントがずれると（ａ），（ｃ）のように一線にならなくなるので検者は（ｂ）になるように調整する。
【００６３】
更に、スリット照明光Ｔが被測定血管に垂直になるように不図示のローテータ操作ノブを操作する。更に、被測定血管上に測定光が照射されるようにガルバノメトリックミラー１１１の角度を制御する。トラッキング光で照射された血管Ｅｖは、前述のように、血管像Ｅｖ’として一次元ＣＣＤ１２２に結像し、血管像信号として出力される。
【００６４】
検者は、測定部位を決定した後に再び操作桿１２３にある入力手段を操作してトラッキングの開始を入力する。一次元ＣＣＤ１２２の出力信号は、システム制御部１２４に入力される。システム制御部１２４では、撮像された血管像Ｅｖ’に基づいて、システム制御部１２４では、血管像Ｅｖ’の移動量を表すデータが作成され、ガルバノメトリックミラー制御回路１２５に血管像Ｅｖ’と移動量が出力される。そして、ガルバノメトリックミラー制御回路１２５がこの移動量を補償するようにガルバノメトリックミラー１１１を駆動することにより、被測定部血管のトラッキングが行われる。これにより被検眼の固視微動に対して追尾することができるようになる。
【００６５】
更に、検者は、トラッキング動作が安定したところで再び操作桿１２３にある測定スイッチを操作して測定の開始を入力する。システム制御部１２４は、レーザーダイオード１１４を点灯させる。
【００６６】
図１０にはトラッキング用光源がＴで、測定用レーザダイオード光がＬで表してある。
【００６７】
レーザーダイオード１１４の眼底からの反射光をフォトマルチプライヤ１１９，１２０で受光して、フォトマルチプライヤ１１９，１２０の出力信号はシステム制御部１２４を介して演算手段１６４にて解析されて血流速度が求められる。その解析結果は記憶手段１６６に記憶される。これにより、眼底血管内血流の血流速度の測定に先立って固視微動追尾を行うことができる。
【００６８】
次に、検者が乳頭部を測定しようとしてモード選択手段１６５にて「乳頭内血流測定モード」が選択すると、システム制御部１２４からの信号を受けて測定モード制御部１５９は、演算手段１６４に対しては乳頭部内の相対血流速度を求めるためのアルゴリズムにするように設定し、フィルタ挿脱手段１４１に対して可視カットフィルタを光路内へ移動させる。可視カットフィルタが光路内に挿入されると照明光は赤外光となるので、ファインダ１５１を使って直視にて観察することはできない。
【００６９】
従って、検知手段１６０による検知結果が、「可動ミラー５２が光路から離脱している」であった時には、測定モード制御部１５９は、光路切換手段４２によって二次元ＣＣＤ１０８によって眼底観察測定が行えるように可動ミラー１５２を動かして光路を切り換え、二次元ＣＣＤ１０８によって撮像された画像は例えばモニタ１５６で観察できるようにする。
【００７０】
又、被検者は、透過型液晶板１０３に呈示される固視標を視認することができなくなるので、外部固視標１４４を点灯させる。更に、乳頭計測時には固視微動追尾は必要ないので、トラッキング用光源１１６を消灯させる。レーザダイオード１１４の光量を乳頭内血流測定光量に設定する。又、ガルバノメトリックミラー１１１も制御を行わず中心位置で停止している。
【００７１】
以上の操作が行われることにより、乳頭計測時には観察光として可視光が被検眼Ｅに照射されず、モニタ１５６で観察できるようになる。
【００７２】
検者がアライメントを行ってピント合わせを行う動作においては、固視誘導を外部固視標１４４で行うこと以外は実施の形態１に示した例と同様である。
【００７３】
そして、検者が操作桿１２３にある測定スイッチを操作して測定の開始を入力する。システム制御部１２４は、共焦点絞り１６２を光路上から退避させ、レーザーダイオード１１４を点灯させる。
【００７４】
レーザーダイオード１１４は、乳頭内で等方的に散乱し、その反射光をフォトマルチプライヤ１１９，１２０で受光して、フォトマルチプライヤ１１９，１２０の出力信号はシステム制御部１２４を介して演算手段１６４にて解析されて相対的な血流速度が求められる。解析結果は記憶手段１６６に記憶される。
【００７５】
再度、検者が被験者の眼底血管Ｅｖの血流速度測定しようとしてモード選択手段１６５により「血管内血流測定モード」を選択すると、前述した通りの制御が行われる。
【００７６】
【発明の効果】
以上の説明で明らかなように、請求項１記載の発明によれば、被検眼眼底を測定する測定光を使って合焦を行うことにより、検者は合焦用の指標投影光によって合焦を行い、それに引き続いて測定光を照射して測定位置を確認する、といった煩雑な手順を踏む必要がなくなり、一度、測定光を照射開始の動作を行うだけでピント合わせと同時に測定位置を確認することができる。
【００７７】
又、測定光は瞳の偏心した位置から照射しているので、ピントがずれているのかどうかを容易に判別することが可能である。
【００７８】
更に、測定光をピント合わせにも使用することで例えば乳頭部等の網膜部に比べて凹凸が大きい所等では、例えばスプリット光のような合焦用指標投影光ではスプリット光が乳頭の凹凸によってゆがんでしまうため、歪んだ光束同士を合わせくくピント合わせが困難になるのに対して、測定光を観察する観察視野内に設けられた合焦位置を示す合焦指標に重ねるだけであるので容易である。
【００７９】
又、ピント合わせ用の指標光を投影する必要がないので、装置の構成も複雑にならなくて済む。
【００８０】
請求項２記載の発明によれば、合焦指標を観察光学系の眼底と略共役位置に配置することによりファインダ等の直視観察をする場合に測定光を合焦指標と一致させる時に観察し易くなる。
【００８１】
請求項３記載の発明によれば、合焦指標は制御部で生成したキャラクタであって表示手段に測定光を含む眼底像と共に表示することによって表示手段に表示するキャラクタの形状、色等を容易に作成・変更を行うことが可能であるため、検者の視認し易い形状と色にすることが可能になる。
【００８２】
請求項４記載の発明によれば、合焦時と測定時で光量を変えることによって、合焦時は検者が測定光の位置を確認できる程度の弱い光量にし、測定時には測定に必要な光量に設定することにより、合焦時に不要な光を照射することがなくなり被検者に与える不快感が軽減される。
【００８３】
請求項５記載の発明によれば、被検眼眼底上の血管内血流速度する血管内血流測定モードと、視神経乳頭内血流速度を測定する乳頭内血流測定モードを備えた眼底血流計において、血管内血流測定モード選択時には指標投影光学系によって投影された指標光によって合焦を行い、乳頭内血流測定モードが選択された時には観察視野内に設けられた合焦位置を示す合焦指標と測定光を一致させることで合焦を行うように構成することにより、網膜上血管を測定する際には分離された指標光束を一致させるだけでピント合わせができるので操作が容易である。
【００８４】
乳頭部を測定する際には、乳頭部のような凹凸のある部位では指標光束を一致させづらいので、測定光と合焦指標を一致させることでピント合わせができ、ピント合わせが乳頭部の場合でも容易に行うことができるようになり、検者に熟練を要することもなくなる。又、指標光束を被検眼に照射しないので、被検者に与える負担を軽減することができる。
【図面の簡単な説明】
【図１】本発明の実施の形態１の構成図である。
【図２】観察視野内における合焦指標を示す図である。
【図３】小ミラー部における測定光の位置を示す図である。
【図４】瞳孔上での各光束の配置を示す図である。
【図５】アライメントを合わせた時の観察画面である。
【図６】測定光を照射した時の観察画面である。
【図７】フォーカスを回してピント合わせをする時の観察画面である。
【図８】本発明の実施の形態２の構成図である。
【図９】指標投影光学系による視標光の合焦状態を示す図である
【図１０】血管内血流測定モード時のピント合わせの様子を示す図である
【符号の説明】
１          観察用光源
２          対物レンズ
３          透過型液晶板
４          リレーレンズ
５          孔あきミラー
６          バンドパスミラー
７          フォーカスレンズ
８          二次元ＣＣＤカメラ
１０        凹面ミラー
１１        小ミラー
１２        レンズ
１４        レーザーダイオード
１７        フォーカスレンズ
１８        折返しミラー
２０        フォトマルチプライヤ
２３        測定スイッチ
２４        システム制御部
２８        集光レンズ
２９        リレーレンズ
４２        光路切換手段
４３        測定光制御手段
４４        コンデンサレンズ
４５        フィールドレンズ
４６        光路長補償半月板
４７        リングスリット
４８        フィールドレンズ
４９        リレーレンズ
５１        接眼レンズ
５２        可動ミラー
５３        レンズ
５４        結像レンズ
５６        モニタ
５７        キャラクタ生成手段
５８        コリメータレンズ
６１        結像レンズ
６２        絞り
６４        演算手段
６５        光路切換スイッチ
６６        記憶手段
６７        リングスリット
６８        アパーチャ
６９        フィールドレンズ
１０１      観察用光源
１０２      対物レンズ
１０３      透過型液晶板
１０４      リレーレンズ
１０５      孔あきミラー
１０６      バンドパスミラー
１０７      フォーカスレンズ
１０８      二次元ＣＣＤカメラ
１０９      イメージローテータ
１１０      凹面ミラー
１１１      ガルバノメトリックミラー
１１２      レンズ
１１３      ダイクロイックミラー
１１４      レーザーダイオード
１１５      スプリットプリズム付マスク
１１６      トラッキング用光源
１１７      フォーカスレンズ
１１８      ダイクロイックミラー
１１９      フォトマルチプライヤ
１２０      フォトマルチプライヤ
１２１      フィールドレンズ
１２２      一次元ＣＣＤ
１２３      スイッチ
１２４      システム制御部
１２５      ガルバノメトリックミラー制御回路
１２６      拡大レンズ
１２７      ミラー
１２８      集光レンズ
１２９      リレーレンズ
１３０      フォーカスユニット
１４０      可視カットフィルタ
１４１      フィルタ挿脱手段
１４２      光路切換手段
１４３      測定光量設定手段
１４４      外部固視灯
１５１      接眼レンズ
１５２      可動ミラー
１５３      レンズ
１５４      結像レンズ
１５６      モニタ
１５７      レーザシャッタ
１５８      コリメータレンズ
１６０      検知手段
１６１      結像レンズ
１６２      共焦点絞り
１６３      ミラー対
１６４      演算手段
１６５      モード選択手段
１６６      記憶手段
Ａ          眼底血流計
Ｅ          被検眼
【図１】
2005013474.tif 000003
【図２】
2005013474.tif 000004
【図３】
2005013474.tif 000005
【図４】
2005013474.tif 000006
【図５】
2005013474.tif 000007
【図６】
2005013474.tif 000008
【図７】
2005013474.tif 000009
【図８】
2005013474.tif 000010
【図９】
2005013474.tif 000011
【図１０】
2005013474.tif 000012